(57)【特許請求の範囲】
【請求項１】
係留ワイヤーの端部に接続された長さ調整用のチェーンと、このチェーンを制止するための制鎖器と、前記チェーンに連結された連結装置と、該連結装置に接続されたジャッキとからなり、前記連結装置はチェーンを二枚のプレートで挟み付ける接続プレートと、該接続プレートとジャッキを接続する接続ロッドとからなることを特徴とする係留ワイヤーの長さ調整装置。
【発明の詳細な説明】
【０００１】
【発明の属する技術分野】
本発明は係留ワイヤーの長さ調整装置に関するものである。
【０００２】
【従来の技術】
図８に示すように、沈埋函２３の係留には、係留ワイヤー２４が用いられている。この沈埋函２３に洋上でコンクリートを打設すると、吃水が増加して係留ワイヤー２４が緩むため、これを調整する装置としてウインチ２５が使用されている。
【０００３】
【発明が解決しようとする課題】
しかし、上記の係留ワイヤーの緩みを調整する装置としてのウインチには、下記のような問題があった。
（１）沈埋函上の設置スペースには制限がある。
（２）函舷が小さくなった場合は、海水の浸入がある。
（３）張力に比べて、大きな制御能力が必要となるために特殊仕様になる。
【０００４】
本発明は上記のような問題に鑑みてなされたものであり、その目的は、沈埋函上の設置スペースに制約があったとしても、容易に設置することができる係留ワイヤーの長さ調整装置を提供することである。
【０００５】
【課題を解決するための手段】
以上の課題を達成するための本発明の係留ワイヤーの長さ調整装置の要旨は、係留ワイヤーの端部に接続された長さ調整用のチェーンと、このチェーンを制止するための制鎖器と、前記チェーンに連結された連結装置と、該連結装置に接続されたジャッキとからなり、前記連結装置はチェーンを二枚のプレートで挟み付ける接続プレートと、該接続プレートとジャッキを接続する接続ロッドとからなることを特徴とする。
【０００６】
長さ調整装置はウインチと比べて小さいため、沈埋函上の設置スペースに制約があったとしても容易に設置することができる。閂型の制鎖器を用いることにより、係留時の張力保持が確実におこなえる。接続プレートがボルトでチェーンに固着できるため、荷重が確実に保持できる。全体として軽量なため取り扱いが容易になる。
【０００７】
【発明の実施の形態】
以下、本発明の係留ワイヤーの長さ調整装置（以下、長さ調整装置という）の実施の形態を図面に基づいて説明する。また各実施の形態において同じ構成は同じ符号を付して説明し、異なった構成にのみ異なった符号を付して説明する。
【０００８】
長さ調整装置１は、沈埋函などの係留ワイヤーの長さを調節するものであり、図１に示すように、係留ワイヤー６の端部に接続された長さ調整用のチェーン２と、このチェーン２を制止するための制鎖器３と、前記チェーン２に連結された連結装置４と、該連結装置４に接続されたジャッキ５とから構成されている。
【０００９】
チェーン２は係留ワイヤー６の長さを調整するものであり、シャックル７などで係留ワイヤー６の端部に接続される。また制鎖器３は、図２に示すように、チェーン２がスライド溝８に挿入された断面Ｕ字形の挿入体９と、前記チェーン２を制止する閂１０とから構成され、この閂１０が両側板の凹溝１１に取外自在に嵌め込まれている。よって、チェーン２が閂１０で押さえ付けられて制止される一方、この閂１０が取り外されると移動可能になる。
【００１０】
また連結装置４は、図３および４に示すように、接続プレート１２と、該接続プレート１２とジャッキ５を接続する接続ロッド１３とから構成されている。接続プレート１２は、内面端部に長ナット１４を固定した二枚のプレート１５がボルト１６で重ね合わされたものであり、各プレート１５の接合片１７には、接続ロッド１３の一端部がボルト軸１８で回転自在に接続されている。またプレート１５の前後部には、チェーンの縦リング２ｂの先端がはめ込まれる切欠部１９が形成されている。
【００１１】
またチェーンの横リング２ａに二枚のプレート１５を上下から挟み付けて接続プレート１２を固着すると、縦リング２ｂの先端が切欠部１９に嵌め込まれる。一方、接続プレート１２に接続された接続ロッド１３の他端部は、ジャッキ５のシリンダーロッド２０の接合片１７にボルト軸１８で回転自在に接続される。
【００１２】
この長さ調整装置１は、例えば図５および６に示すように、沈埋函２１の上面に設置されて係留ワイヤー６の緩みを調整するものである。この係留ワイヤー６にはシャックル７を介してチェーン２が接続され、該チェーン２が沈埋函２１の制鎖器３に挿入され、かつ連結装置４を介してジャッキ５に接続されている。
【００１３】
次に、図７により上記の長さ調整装置１の操作方法を説明する。はじめに、この長さ調整装置１の制鎖器３およびジャッキ５を沈埋函１上の必要な箇所に設置する。
【００１４】
次に、（１）に示すように、長さ調整装置１のチェーン２をシャックル７で係留ワイヤー６に接続する。そして、チェーン２を制鎖器３に挿入して閂１０で制止する。次に、チェーンの横リング２ａを上下から挟むようにして接続プレート１２を取り付ける。
【００１５】
そして、（２）に示すように、この上下の接続プレート１２の接合片１７に接続ロッド１３の一端部を接続する一方、他端部をジャッキのシリンダーロッド２０の接合片１７に接続する。このときジャキのシリンダーロッド２０は伸びた状態になっている。
【００１６】
次に、（３）に示すように、制鎖器３の閂１０を凹溝１１から取り外して、チェーン２を移動可能にするとともに、ジャッキのシリンダーロッド２０を縮めてチェーン２を引っ張る。
【００１７】
そして、（４）に示すように、ジャッキのシリンダーロッド２０を縮めた状態で、閂１０を凹溝１１に嵌め込んでチェーン２の移動を制止する。
【００１８】
以上のような（１）〜（４）の作業を順次繰り返すと係留ワイヤー６の緩みが解消される。この長さ調整装置１は場所をとらずに、係留ワイヤー６の緩みを調整することができる。
【００１９】
【発明の効果】
長さ調整装置はウインチと比べて小さいため、沈埋函上の設置スペースに制約があったとしても容易に設置することができる。
【００２０】
閂型の制鎖器を用いることにより、係留時の張力保持が確実におこなえる。
【００２１】
接続プレートがボルトでチェーンに固着できるため、荷重が確実に保持できる。
【００２２】
全体として軽量なため取り扱いが容易になる。
【図面の簡単な説明】
【図１】   長さ調節装置の正面図である。
【図２】   制鎖器を示したものであり、（１）は平面図、（２）は（１）のＡ−Ａ線断面図、（３）は同Ｂ−Ｂ線断面図、（４）は斜視図である。
【図３】   接合装置を示したものであり、（１）は平面図、（２）は正面図、（３）は（２）のＣ−Ｃ線断面図である。
【図４】   接合プレートの斜視図である。
【図５】   長さ調整装置を沈埋函に設置した平面図である。
【図６】   （１）および（２）は沈埋函に設置した長さ調整装置の平面図である。
【図７】   （１）〜（４）は長さ調整装置の操作手順図である。
【図８】   （１）および（２）は沈埋函に従来の係留ワイヤーの長さ調整装置を設置した図である。
【符号の説明】
１  長さ調整装置
２  チェーン
３  制鎖器
４  連結装置
５  ジャッキ
６、２４  係留ワイヤー
７  シャックル
８  スライド溝
９  挿入体
１０  閂
１１  凹溝
１２  接続プレート
１３  接続ロッド
１４  長ナット
１５  プレート
１６  ボルト
１７  接合片
１８  ボルト軸
１９  切欠部
２０  シリンダーロッド
２１、２３  沈埋函
２５  ウインチ
【図１】
0003904940.tif 000002
【図２】
0003904940.tif 000003
【図３】
0003904940.tif 000004
【図４】
0003904940.tif 000005
【図５】
0003904940.tif 000006
【図６】
0003904940.tif 000007
【図７】
0003904940.tif 000008
【図８】
0003904940.tif 000009